(57)【要約】【課題】従来のラケット用ダイナミックダンパーでは、ラケットの振動を素早く吸収できないという欠点があった。【解決手段】本発明のラケット用ダイナミックダンパーは、ラケットのフレームに取り付けられるフレーム取付用ベースと、このフレーム取付用ベースに一端を固定した可撓性部材と、この可撓性部材に設けた重錘とよりなることを特徴とする。【選択図】図１
2012235829.tif 000002
【特許請求の範囲】
【請求項１】
ラケットのフレームに取り付けられるフレーム取付用ベースと、
このフレーム取付用ベースに一端を固定した可撓性部材と、
この可撓性部材に設けた重錘とよりなることを特徴とするラケット用ダイナミックダンパー。
【請求項２】
上記可撓性部材と上記重錘は、上記ラケットのヨークとシャフトとの間に形成されるスロート空間に設けられることを特徴とする請求項１記載のラケット用ダイナミックダンパー。
【請求項３】
上記可撓性部材は、２つの金属製、カーボンファイバー製又は繊維強化プラスチック製の部材間に、制振材を挟持して形成した３層構造部材であり、この３層構造部材の一端が上記フレーム取付用ベースに固定されていることを特徴とする請求項１または２記載のラケット用ダイナミックダンパー。
【請求項４】
上記重錘は上記可撓性部材の他端に固定されていることを特徴とする請求項１、２または３記載のラケット用ダイナミックダンパー。
【請求項５】
上記重錘は上記可撓性部材に着脱自在に固定されていることを特徴とする請求項１、２、３または４記載のラケット用ダイナミックダンパー。
【発明の詳細な説明】
【技術分野】
【０００１】
本発明はラケット用ダイナミックダンパー、特に、テニスラケットに装着して、テニスボールの打撃時に生ずるテニスラケットの振動（振動エネルギー）を吸収するラケット用ダイナミックダンパーに関するものである。
【背景技術】
【０００２】
従来のラケット用ダイナミックダンパーとしては、例えば、粘弾性材と質量付加材を積層したダイナミックダンパーがある（特許文献１）。このダイナミックダンパーはテニスラケットのフレームに取り付けられて、テニスボールの打撃時に生ずるテニスラケットの振動を、上記ダイナミックダンパーにより吸収して、ラケットの振動を抑えるようにしていた。
【先行技術文献】
【特許文献】
【０００３】
【特許文献１】特開２００３−１７５１３３号公報
【発明の概要】
【発明が解決しようとする課題】
【０００４】
しかしながら、上記従来のダイナミックダンパーでは、素早く、効果的にテニスボールの打撃時に生ずるテニスラケットの振動を吸収できないという欠点があった。
【０００５】
本発明はボールの打撃時に生ずるラケットの振動を素早く、効果的に吸収できるラケット用ダイナミックダンパーを提供するものである。
【課題を解決するための手段】
【０００６】
本発明のラケット用ダイナミックダンパーは、ラケットのフレームに取り付けられるフレーム取付用ベースと、このフレーム取付用ベースに一端を固定した可撓性部材と、この可撓性部材に設けた重錘とよりなることを特徴とする。
【０００７】
また、上記可撓性部材と上記重錘は、上記ラケットのヨークとシャフトとの間に形成されるスロート空間に設けられることを特徴とする。
【０００８】
また、上記可撓性部材は、２つの金属製、カーボンファイバー製又は繊維強化プラスチック製の部材間に、制振材を挟持して形成した３層構造部材であり、この３層構造部材の一端が上記フレーム取付用ベースに固定されていることを特徴とする。
【０００９】
また、上記重錘は上記可撓性部材の他端に固定されていることを特徴とする。
【００１０】
また、上記重錘は上記可撓性部材に着脱自在に固定されていることを特徴とする。
【発明の効果】
【００１１】
本発明によれば、ボールの打撃時に生ずるラケットの曲げ方向の振動や捩れ方向の振動を、従来よりも素早く、効果的に吸収できるという大きな利益がある。
【図面の簡単な説明】
【００１２】
【図１】本発明の第１実施例のラケット用ダイナミックダンパーの斜視図である。
【図２】本発明の第１実施例のラケット用ダイナミックダンパーの使用状態を示す斜視図である。
【図３】本発明の第１実施例のラケット用ダイナミックダンパーの他の使用状態を示す斜視図である。
【図４】本発明の第１実施例のラケット用ダイナミックダンパーの更に他の使用状態を示す斜視図である。
【図５】本発明の第１実施例のラケット用ダイナミックダンパーのアームダンパーの説明用拡大縦断面図である。
【図６】本発明の第２実施例のラケット用ダイナミックダンパーの使用状態を示す斜視図である。
【図７】本発明の第２実施例のラケット用ダイナミックダンパーの説明用分解斜視図である。
【図８】ラケットの衝撃振動レベルを表す図である。
【発明を実施するための形態】
【００１３】
以下図面によって本発明の実施例を説明する。
【実施例１】
【００１４】
図１は、本発明の第１実施例のラケット用ダイナミックダンパー１の斜視図を示し、図２〜図４は、上記ラケット用ダイナミックダンパー１を例えばテニスラケットなどのラケット２に装着した斜視図を示す。
【００１５】
図１において、３は、上記ダイナミックダンパー１の例えば、アルミ合金製のフレーム取付ベースを示し、このフレーム取付ベース３は、断面コ字状に形成され、このコ字状に形成された凹部３ａが、上記テニスラケット２のヨーク４、シャフト５またはフェース６などのフレームに嵌合するように形成されている。
【００１６】
７は、上記ダイナミックダンパー１の、可撓性のある長尺状の板部材又は棒部材などの可撓性部材（アームダンパー）を示し、このアームダンパー７の一端は上記フレーム取付ベース３の背板３ｂに固定されている。
【００１７】
なお、上記アームダンパー７は、図５に示すように、例えば、２枚の金属製の板状部材７ａ，７ａ間、又は２枚のカーボンファイバー（炭素繊維）製の板状部材間、又は２枚のＣＦＲＰなどの繊維強化プラスチック製の板状部材間に、例えばゴムなどの板状の制振材７ｂを挟んで接着して、積層構造に形成し、振動エネルギーを熱に変換して、素早く振動を吸収するように形成されている。なお、上記アームダンパー７は積層構造ではなく、単体の金属製、カーボンファイバー製又は繊維強化プラスチック製であっても良い。
【００１８】
８は、上記ダイナミックダンパー１の例えば、ステンレス合金製の重錘を示し、この重錘８は、上記アームダンパー７の、例えば他端に固定されている。
【００１９】
本発明の第１実施例のラケット用ダイナミックダンパーは上記のような構成であるから、図２に示すように、上記フレーム取付ベース３の凹部３ａを例えば、上記ラケット２のヨーク４に嵌合せしめて、例えば、ネジ等により上記フレーム取付ベース３と上記ヨーク４とを固定させる。なお、上記アームダンパー７と上記重錘８は、例えば、上記ラケット２のヨーク４と左右のシャフト５，５間のスロート空間９内に位置するようにする。
【００２０】
なお、３ｃは上記フレーム取付ベース３に設けた貫通孔であり、１０は上記ヨーク４及び上記シャフト５にそれぞれ設けたネジ孔であり（図３参照）、ネジ（図示せず）を上記フレーム取付ベース３の貫通孔３ｃを貫通させて、例えば、上記ヨーク４のネジ孔に螺合させて、上記ラケット２とダイナミックダンパー１とを固定する。
【００２１】
本発明の第１実施例のラケット用ダイナミックダンパーによれば、ボールの打撃時のラケットに、図２に示すような曲げ方向の振動が生じても、上記アームダンパー７が上記ラケット２のフェイス面に対して垂直方向に振動し、上記ラケット２の曲げ方向の振動エネルギーを熱に変換して、これによりラケットの振動を吸収し、素早くラケットの曲げ方向の振動を抑えることができるようになる。
【００２２】
なお、図３に示すように、上記シャフト取付ベース３の凹部３ａをシャフト４に固定するようにしてもよい。
【００２３】
この場合には、図３に示すように、ラケットに捩れ方向の振動が生じても、上述と同様に、上記アームダンパー７が上記ラケット２の捻り方向の振動エネルギーを熱に変換して、これによりラケットの振動を吸収し、素早くラケットの捻り方向の振動を抑えることができるようになる。
【００２４】
また、上記ラケット用ダイナミックダンパー１のフレーム取付ベース３の凹部３ａを、上記ラケット２のフェース６に固定するようにしても良い。なお、上記アームダンパー７と上記重錘８は、例えば、上記フェース６で囲まれたフェース空間内に位置するようにする。
【００２５】
なお、ラケットの硬さと重さによって、上記重錘８を上記アームダンパー７の任意の位置に固定できるようにしてもよい。
【００２６】
さらに、上記アームダンパー７に対して上記重錘８を着脱自在とすると共に、異なる重さの重錘８を用意し、ラケットの硬さと重さにより、上記アームダンパー６に取り付ける重錘７を異なるようにしてもよい。
【００２７】
また、図４に示すように、二つのラケット用ダイナミックダンパー１をそれぞれ上記ヨーク４と上記シャフト５に固定するようにしてもよい。
【００２８】
さらに、複数のラケット用ダイナミックダンパー１をラケットのフレームに固定するようにしてもよい。
【００２９】
また、上記ラケット用ダイナミックダンパー１とラケット２とをネジで固定する代わりに、接着テープなどの接着手段により接着するようにしてもよい。
【００３０】
また、上記アームダンパー７と上記重錘８をスロート空間外又はフェース空間外に位置するようにしても良い。
【実施例２】
【００３１】
図６は、上記テニスラケットなどのラケット２に装着した本発明の第２実施例のラケット用ダイナミックダンパー１１の斜視図を示し、図７は、上記ラケット用ダイナミックダンパー１１の分解斜視図を示す。
【００３２】
図６及び図７に示すように、１２は、上記ダイナミックダンパー１１の例えば、アルミ合金製のフレーム取付ベースを示し、このフレーム取付ベース１２は、断面コ字状に形成され、このコ字状に形成された凹部１２ａが、上記ラケット２のヨーク４、シャフト５またはフェース６などのフレームに嵌合するように形成されている。
【００３３】
また、上記フレーム取付ベース１２の一方の側壁１２ｂには、外方に突出した凸部１３が形成されている。
【００３４】
なお、１４は、上記フレーム取付ベース１２の一方及び他方の側壁１２ｂ、１２ｂにそれぞれ設けられたネジ孔を示し、１５は、上記ネジ孔１４に螺合されて、上記フレーム取付ベース１２を上記ラケット２のヨーク４、シャフト５またはフェース６などのフレームに固定するための止めネジを示す。
【００３５】
１６は、上記ダイナミックダンパー１の可撓性部材（アームダンパー）を示し、このアームダンパー１６は、例えば、上記フレーム取付ベース１２の凸部１３に嵌合する嵌合孔を、その一端に有する円柱状の基部１７と、この基部１７の他端に、その一端が固定された長尺状部材１８と、この長尺状部材１８の他端に設けた貫通孔１９を有する重錘固定部２０とよりなる。
【００３６】
なお、上記長尺状部材１８は、例えば、板状に形成され、長さ５０ｍｍ、幅８ｍｍ、厚さ２ｍｍに形成されている。
【００３７】
また、上記長尺状部材１８は、上記第１実施例のアームダンパーと同様に、例えば、２枚の金属製、カーボンファイバー製又はＣＦＲＰなどの繊維強化プラスチック製の板状部材間に、例えばゴムなどの板状の制振材を挟んで接着し、積層構造に形成し、振動エネルギーを熱に変換して、素早く振動を吸収するように形成されている。なお、上記アームダンパー７は積層構造ではなく、単体の金属製、カーボンファイバー製又は繊維強化プラスチック製であっても良い。
【００３８】
なお、２１は、上記基部１７の側面に周方向に沿って離間して複数設けた、上記基部１７の嵌合孔に連通するネジ孔を示し、２２は、上記ネジ孔２１に螺合されて、上記基部１７を上記凸部１３に固定するための止めネジを示す。
【００３９】
２３は、上記重錘固定部２０に固定されるステンレス製の重錘を示し、この重錘２３は、例えば、錘部２４と、この錘部２４の下面に固定したネジ部２５と、このネジ部２５に螺合されるナット２６とよりなり、上記ネジ部２５を上記貫通孔１９に貫通させて、上記ネジ部２５に上記ナット２６を螺合することにより、上記重錘２３を上記アームダンパー１６に固定するようにする。
【００４０】
なお、上記円板状の錘部２４は、例えば、円板状に形成され、直径４ｍｍ、厚さ４ｍｍに形成され、上記ナット２６は、例えば、円板状に形成され、直径４ｍｍ、厚さ４ｍｍに形成され、上記重錘２３の重さは例えば３ｇに形成されている。
【００４１】
本発明の第２実施例のラケット用ダイナミックダンパーは上記のような構成であるから、図６に示すように、上記フレーム取付ベース１２の凹部１２ａを例えば、上記ラケット２のヨーク４に嵌合せしめて、上記止めネジ１５により上記フレーム取付ベース１２と上記ヨーク４とを固定させる。なお、上記フレーム取付ベース１２の凸部１３が、例えば、上記ラケット２のヨーク４と左右のシャフト５，５間のスロート空間８内に位置するようにする。
【００４２】
そして、上記フレーム取付ベース１２の凸部１３に上記アームダンパー１６を嵌合して、止めネジ２２により固定し、そして、上記アームダンパー１６の重錘固定部２０に重錘２３を固定する。
【００４３】
本発明の第２実施例のラケット用ダイナミックダンパーによれば、第１実施例と同様に、ボールの打撃時のラケットに振動が生じても、上記アームダンパー１６が上記ラケット２の振動エネルギーを熱に変換して、これによりラケットの振動を吸収し、素早くラケットの振動を抑えることができるようになる。
【００４４】
また、図８は、ラケットに、本発明の第２実施例のラケット用ダイナミックダンパーを取付けた場合と、取付けなかった場合の衝撃振動レベルを表したものであり、これより、ダイナミックダンパーを取り付けた場合には、顕著に衝撃振動を抑えることができることが分かる。
【００４５】
なお、異なる重さの錘部２４を用意し、ラケットの硬さと重さにより、上記アームダンパー１６に取り付ける錘部２４を異なるようにしてもよい。
【００４６】
また、上記ラケット用ダイナミックダンパー１１のラケット２に対する取り付け位置や、数や、取り付け方法は上記第１実施例と同様である。
【符号の説明】
【００４７】
１      ダイナミックダンパー
２      ラケット
３      フレーム取付ベース
３ａ    凹部
３ｂ    背板
３ｃ    貫通孔
４      ヨーク
５      シャフト
６      フェース
７      アームダンパー
８      重錘
９      スロート空間
１０    ネジ孔
１１    ダイナミックダンパー
１２    フレーム取付ベース
１２ａ  凹部
１２ｂ  側壁
１３    凸部
１４    ネジ孔
１５    止めネジ
１６    アームダンパー
１７    基部
１８    長尺状部材
１９    貫通孔
２０    重錘固定部
２１    ネジ孔
２２    止めネジ
２３    重錘
２４    錘部
２５    ネジ部
２６    ナット
【図１】
2012235829.tif 000003
【図２】
2012235829.tif 000004
【図３】
2012235829.tif 000005
【図４】
2012235829.tif 000006
【図５】
2012235829.tif 000007
【図６】
2012235829.tif 000008
【図７】
2012235829.tif 000009
【図８】
2012235829.tif 000010